(57)【要約】【課題】端末の利用者と支払者とが同一人物でない場合に、携帯電話料金の支払者が意図しない有料サービスの利用を制御・禁止することが可能な携帯電話端末を提供する。【解決手段】ＵＩＭカードが従ＵＩＭカードの場合、制御部１１は一時的に操作入力部１３からの入力を停止する。制御部１１はＵＩＭカード部１２から主ＵＩＭカードの情報を読取り、この主ＵＩＭカードを内蔵する端末へ料金の発生するサービスの情報と利用許可希望のメッセージとを無線通信部１４から送信する。無線通信部１４が主ＵＩＭカードを内蔵する端末からの返信を一定時間の間受信しない場合、または返信が不許可の場合、制御部１１は表示部１５へ主ＵＩＭカードを内蔵する端末からの許可が得られなかった旨のメッセージを表示し、操作入力部１３からの入力を受付け、そのサービスを強制的に終了する。【選択図】      図１
2004172923.tif 000002
【特許請求の範囲】
【請求項１】
加入者情報を記憶する記録媒体を内蔵可能な携帯電話端末であって、前記記録媒体に記憶された主・従の関係を示す情報を基に通話料以外の料金支払いが発生するサービスの実行を制限する制限手段を有することを特徴とする携帯電話端末。
【請求項２】
前記制限手段は、前記記録媒体に記憶された情報が前記従の関係を示す情報の場合に前記主の関係を示す情報を記憶する記録媒体が内蔵される端末からの諾否に応じて前記サービスの実行を制限することを特徴とする請求項１記載の携帯電話端末。
【請求項３】
前記制限手段は、前記主の関係を示す情報を記憶する記録媒体が内蔵される端末からの返信がない場合及び不許可が返信された場合に前記サービスを強制終了することを特徴とする請求項２記載の携帯電話端末。
【請求項４】
前記記録媒体が少なくともＵＩＭ（Ｕｓｅｒ  Ｉｄｅｎｔｉｔｙ  Ｍｏｄｕｌｅ）カード、ＳＩＭ（Ｓｕｂｓｃｒｉｂｅｒ  Ｉｄｅｎｔｉｔｙ  Ｍｏｄｕｌｅ）カード、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードのいずれかであることを特徴とする請求項１から請求項３のいずれか記載の携帯電話端末。
【請求項５】
加入者情報を記憶する記録媒体を内蔵可能な携帯電話端末の有料サービス制限方法であって、前記記録媒体に記憶された情報が主・従の関係を示す情報のいずれかであるかを判定するステップと、その判定結果を基に通話料以外の料金支払いが発生するサービスの実行を制限するステップとを有することを特徴とする有料サービス制限方法。
【請求項６】
前記サービスの実行を制限するステップは、前記記録媒体に記憶された情報が前記従の関係を示す情報の場合に前記主の関係を示す情報を記憶する記録媒体が内蔵される端末からの諾否に応じて前記サービスの実行を制限することを特徴とする請求項５記載の有料サービス制限方法。
【請求項７】
前記サービスの実行を制限するステップは、前記主の関係を示す情報を記憶する記録媒体が内蔵される端末からの返信がない場合及び不許可が返信された場合に前記サービスを強制終了することを特徴とする請求項６記載の有料サービス制限方法。
【請求項８】
前記記録媒体が少なくともＵＩＭ（Ｕｓｅｒ  Ｉｄｅｎｔｉｔｙ  Ｍｏｄｕｌｅ）カード、ＳＩＭ（Ｓｕｂｓｃｒｉｂｅｒ  Ｉｄｅｎｔｉｔｙ  Ｍｏｄｕｌｅ）カード、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードのいずれかであることを特徴とする請求項５から請求項７のいずれか記載の有料サービス制限方法。
【発明の詳細な説明】
【０００１】
【発明の属する技術分野】
本発明は携帯電話端末及びそれに用いる有料サービス制限方法に関し、特に携帯電話端末を用いた有料サービスの課金方法に関する。
【０００２】
【従来の技術】
近年、携帯電話端末においては、発呼や着呼を行うための電話機能のほかに、インタネットへの接続を行うためのブラウザ機能や電子メールの送受信を行うためのメール機能等が付加されてきている。
【０００３】
この場合、この携帯電話端末においては、それらの機能を利用すると、その利用に対して携帯電話会社から課金が行われるが、携帯電話会社による課金を利用して非現金決済を行わせるためのクレジットカード機能等も付加されるようになってきている（例えば、特許文献１，２参照）。
【０００４】
これによって、携帯電話端末の所持者は、ブラウザ機能やクレジットカード機能等を利用することで、様々な有料サービス・商品に対して自由に契約・支払いを行うサービスを受けることができる。
【０００５】
【特許文献１】
特開２００２−１８３６１２号公報（第９，１０頁、図１９）
【特許文献２】
特開２００２−１８３６４１号公報（第７，８頁、図１９）
【０００６】
【発明が解決しようとする課題】
しかしながら、上述した従来の携帯電話端末では、子供が使用する端末に対する利用料金を親が支払うような場合等、携帯電話端末の利用者とその利用料金の支払者とが同一人物でない場合、携帯電話端末の利用料金の支払者の意思に関係なく、携帯電話端末の利用者が自由に有料サービスと契約を結ぶことが可能なため、利用料金の支払者が予知しない追加料金を支払わなければならない事態が発生するという問題がある。
【０００７】
そこで、本発明の目的は上記の問題点を解消し、端末の利用者と支払者とが同一人物でない場合に、携帯電話料金の支払者が意図しない有料サービスの利用を制御・禁止することができる携帯電話端末及びそれに用いる有料サービス制限方法を提供することにある。
【０００８】
【課題を解決するための手段】
本発明による携帯電話端末は、加入者情報を記憶する記録媒体を内蔵可能な携帯電話端末であって、前記記録媒体に記憶された主・従の関係を示す情報を基に通話料以外の料金支払いが発生するサービスの実行を制限する制限手段を備えている。
【０００９】
本発明による有料サービス制限方法は、加入者情報を記憶する記録媒体を内蔵可能な携帯電話端末の有料サービス制限方法であって、前記記録媒体に記憶された情報が主・従の関係を示す情報のいずれかであるかを判定するステップと、その判定結果を基に通話料以外の料金支払いが発生するサービスの実行を制限するステップとを備えている。
【００１０】
すなわち、本発明の携帯電話端末は、加入者情報を記憶するＵＩＭ（ＵｓｅｒＩｄｅｎｔｉｔｙ  Ｍｏｄｕｌｅ）［ＳＩＭ（Ｓｕｂｓｃｒｉｂｅｒ  Ｉｄｅｎｔｉｔｙ  Ｍｏｄｕｌｅ）・ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）］カードを内蔵可能な端末において、ＵＩＭカードに主・従の関係を持たせ、従のＵＩＭカードを内蔵する端末が有料サイトの登録やクレジットカード機能等の利用によって通常の通話料以外の料金支払いが発生する場合に、単独で登録や支払いをするのを制限し、主のＵＩＭカードを内蔵する端末にその登録や支払いの発生を通知し、主のＵＩＭカードを内蔵する端末からの承認を得ない限り、それら有料サイト等の登録・利用を不可能とする構成としている。
【００１１】
より具体的に説明すると、本発明の携帯電話端末では、ＵＩＭカード部に内蔵されるＵＩＭカードに、個人情報として主の立場であるのか、従の立場であるのかを示す個人情報と、主・従の関係にあるＵＩＭカードの電話番号等の情報とが記憶されている。
【００１２】
携帯電話端末は有料サイト等の通話料金以外の料金支払いが発生した場合に、制御部にてその料金支払いの発生を認識し、ＵＩＭカード部からＵＩＭカードに記憶されている情報を読込む。ＵＩＭカードの個人情報が従の立場にある場合、制御部は操作入力部からの入力に制限をかけ、主の立場にあるＵＩＭカードを内蔵する携帯電話端末にその料金支払いの発生を通知する。
【００１３】
主の立場にあるＵＩＭカードを内蔵する携帯電話端末はこの通知を受けると、許可・不許可を返信する。制御部は主の立場にあるＵＩＭカードを内蔵する携帯電話端末からの返信が許可であれば、操作入力部からの入力制限を解除し、有料サイト等の登録が可能となる。
【００１４】
これによって、本発明の携帯電話端末では、従の立場にあるＵＩＭカードを内蔵する端末に対して主の立場にあるＵＩＭカードを内蔵する端末の所持者が未確認の有料サイト等への登録や支払いが不可能となる。
【００１５】
上記のように、本発明の携帯電話端末では、端末の利用者と支払者とが同一人物でない場合に、携帯電話料金の支払者が意図しない有料サービスの利用を制御・禁止することが可能となる。その結果、本発明の携帯電話端末では、携帯電話料金の支払者の意思に関係なく、端末の利用者が有料サイト等と契約を自由に結ぶことができなくなり、支払者は予定外の追加料金が発生してしまう問題をなくすことが可能となる。
【００１６】
【発明の実施の形態】
次に、本発明の実施例について図面を参照して説明する。図１は本発明の一実施例による携帯電話機の構成を示すブロック図である。図１において、携帯電話機（＃１）１は制御部１１と、ＵＩＭ（Ｕｓｅｒ  Ｉｄｅｎｔｉｔｙ  Ｍｏｄｕｌｅ）カード部１２と、操作入力部１３と、無線通信部１４と、表示部１５と、記録媒体１６とから構成されており、携帯電話機（＃２）２は携帯電話機（＃１）１と同様の構成となっている。
【００１７】
制御部１１は有料サービス閲覧・登録等の認識、個人情報の取得、閲覧・登録の制限、閲覧・登録の制限解除要求の発信、そして不許可の通知を受けた場合に不許可のメッセージの出力を行う。ＵＩＭカード部１２は加入者情報を記憶するＵＩＭカード（図示せず）の読込み部で、ＵＩＭカードには個人情報として主の立場であるのか、従の立場であるのかを示す個人情報と、主・従の関係にあるＵＩＭカードの電話番号等の情報とが記憶されている。
【００１８】
操作入力部１３は携帯電話機（＃１）１に付属するユーザ側からの入力を受ける。無線通信部１４はブルートゥース（Ｒ）のような近距離無線通信機能を持ち、主・従の関係にある携帯電話機同士とのデータの送受信を行う。
【００１９】
表示部１５はディスプレイ装置等のユーザ側への出力を行う。記録媒体１６は各部の制御を行うためのプログラム（コンピュータで実行可能なプログラム）を格納する。
【００２０】
図２及び図３は本発明の一実施例による携帯電話機の動作を示すフローチャートである。これら図１〜図３を参照して本発明の一実施例による携帯電話機（＃１，＃２）１，２の動作について説明する。以下の説明では、主の立場にあるＵＩＭカードを主ＵＩＭカードとし、従の立場にあるＵＩＭカードを従ＵＩＭカードとする。尚、図２及び図３に示す処理は携帯電話機（＃１，＃２）１，２の制御部１１が記録媒体１６のプログラムを実行することで実現される。
【００２１】
ユーザが携帯電話機（＃１）１から通話以外のサービス［携帯電話機（＃１）１に内蔵されるブラウザ機能等］を利用すると、制御部１１はこのサービスの利用を認識し（図２ステップＳ１）、このサービスが通話・通信（通常のパケット料金等）以外の料金が発生するサービスか否かを確認する（図２ステップＳ２）。
【００２２】
制御部１１はこのサービスが料金の発生しないサービスの場合、そのままサービスを実行する（図２ステップＳ１４）。逆に、料金が発生する場合、制御部１１はＵＩＭカード部１２に内蔵されるＵＩＭカードから個人情報を読取り、このＵＩＭが主・従のいずれの立場にあるかを調べる（図２ステップＳ３）。
【００２３】
このＵＩＭカードが主ＵＩＭカードの場合（図２ステップＳ４）、制御部１１は料金発生の有無に関係なく、そのままサービスを実行する（図２ステップＳ１４）。逆に、ＵＩＭカードが従ＵＩＭカードの場合（図２ステップＳ４）、制御部１１は一時的に操作入力部１３からの入力を停止する（キー操作無効）（図２ステップＳ５）。
【００２４】
さらに、制御部１１はＵＩＭカード部１２から主ＵＩＭカードの情報を読取り、この主ＵＩＭカードを内蔵する端末へ料金の発生するサービスの情報と利用許可希望のメッセージとを無線通信部１４から送信し（図２ステップＳ６）、返信待ち受け中となる（図２ステップＳ７）。
【００２５】
無線通信部１４が主ＵＩＭカードを内蔵する端末からの返信を一定時間の間受信しない場合（図２ステップＳ８）、制御部１１は表示部１５へ主ＵＩＭカードを内蔵する端末からの許可が得られなかった旨のメッセージを表示し（図２ステップＳ１０）、操作入力部１３からの入力を受付け（キー操作無効解除）（図２ステップＳ１１）、そのサービスを強制的に終了する（図２ステップＳ１２）。
【００２６】
一方、無線通信部１４が主ＵＩＭカードを内蔵する端末からの返信を受信した場合（図２ステップＳ８）、制御部１１はこのサービスの利用を許可するのか、許可しないのかをチェックし（図２ステップＳ９）、許可と判断すると、操作入力部１３からの入力を受付け（キー操作無効解除）（図２ステップＳ１３）、そのサービスの実行を行う（図２ステップＳ１４）。
【００２７】
逆に、制御部１１は不許可と判断すると、上述した返信がなかった場合の動作と同様に、表示部１５へ主ＵＩＭカードを内蔵する端末からの許可が得られなかった旨のメッセージを表示し（図２ステップＳ１０）、操作入力部１３からの入力を受付け（キー操作無効解除）（図２ステップＳ１１）、そのサービスを強制的に終了する（図２ステップＳ１２）。
【００２８】
一方、主ＵＩＭカードを内蔵する携帯電話機（＃２）２は、図３に示すように、従ＵＩＭカードを内蔵する携帯電話機（＃１）１から有料サービス使用希望のメッセージを受けると（図３ステップＳ２１）、ユーザの判断が使用許可か不許可かを判断する（図３ステップＳ２２）。
【００２９】
主ＵＩＭカードを内蔵する携帯電話機（＃２）２は、ユーザの判断が使用許可であれば、使用許可のメッセージを従ＵＩＭカードを内蔵する携帯電話機（＃１）１に送信する（図３ステップＳ２３）。また、主ＵＩＭカードを内蔵する携帯電話機（＃２）２は、ユーザの判断が使用不可であれば、使用不可のメッセージを従ＵＩＭカードを内蔵する携帯電話機（＃１）１に送信する（図３ステップＳ２４）。
【００３０】
このように、本実施例では、ＵＩＭカード等の記録媒体を用いて携帯電話機（＃１，＃２）１，２に主・従の関係を作り出すことによって、従の携帯電話機（＃１）１において通話料以外の料金が発生する場合に主の携帯電話機（＃２）２の所持者の了解を必要とし、料金の支払者に予定外の料金請求を発生させないようにすることができる。
【００３１】
これによって、本実施例では、携帯電話機（＃１）１の利用者と支払者とが同一人物でない場合、携帯電話料金の支払者が意図しない有料サービスの利用を制御・禁止することができる。その結果、携帯電話機（＃１）１の利用者が、携帯電話料金の支払者の意思に関係なく、有料サイト等と契約を自由に結ぶことができなくなり、支払者は予定外の追加料金が発生してしまうという問題をなくすことができる。
【００３２】
尚、上記のＵＩＭ［ＳＩＭ（Ｓｕｂｓｃｒｉｂｅｒ  Ｉｄｅｎｔｉｔｙ  Ｍｏｄｕｌｅ）・ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）］カードとしては、他の加入者情報を記憶する媒体を用いてもよく、それに限定されない。
【００３３】
また、本実施例では、不許可の場合に操作入力部１３を無効としているが、操作入力部１３を無効とする代わりに、有料サービスの認証画面上でＯＫのみを押下できないようにする制御（キャンセル等の他の操作は行える）でもよく、それに限定されない。
【００３４】
さらに、本実施例では、無線通信部１４がブルートゥース（Ｒ）のような近距離無線通信機能を持つ携帯電話機同士とのデータの送受信を行うようにしているが、主・従の情報を載せたメールまたはメールに変わるデータ送信を用いて通常の基地局を通したネットワークを利用しての送受信を行う無線通信部を用いてもよく、これに限定されない。
【００３５】
図４は本発明の他の実施例による携帯電話機の構成を示すブロック図である。図４において、本発明の他の実施例による携帯電話機（＃３）３は、ＵＩＭカード部１２の代わりに、ＵＩＭカードが記憶する情報と同じ主・従の個人情報を内部に記憶したメモリ３１を設けた以外は図１に示す本発明の一実施例と同様の構成となっており、同一構成要素には同一符号を付してある。また、同一構成要素の動作は本発明の一実施例と同様である。
【００３６】
図５〜図７は本発明の別の実施例による携帯電話機の動作を示すフローチャートである。本発明の別の実施例による携帯電話機は図１に示す本発明の一実施例による携帯電話機の構成と同様となっているので、図１と図５〜図７とを参照して本発明の別の実施例による携帯電話機（＃１，＃２）１，２の動作について説明する。
【００３７】
尚、図５〜図７に示す処理は携帯電話機（＃１，＃２）１，２の制御部１１が記録媒体１６のプログラムを実行することで実現される。また、無線通信部１４はブルートゥース（Ｒ）のような近距離無線通信機能を持つ携帯電話機同士とのデータの送受信を行う無線通信部ではなく、通常の携帯電話機にて用いられる基地局を通した電話通信を行う無線通信部とする。
【００３８】
本実施例では、近距離無線通信やメール等によるネットワークを用いてデータの送信・返信を行い、サービスの許可を取るものでなく、従ＵＩＭカードを内蔵する携帯電話機（＃１）１が主ＵＩＭカードを内蔵する携帯電話機（＃２）２に電話を掛け、主ＵＩＭカードを内蔵する携帯電話機（＃２）２側が電話に出ると、音声案内にて従ＵＩＭカードを内蔵する携帯電話機（＃１）１が許可を希望していることを伝え、その電話回線上で主ＵＩＭカードを内蔵する携帯電話機（＃２）２から許可をもらう点で、上述した本発明の一実施例の動作と異なる。
【００３９】
図５において、ステップＳ３１〜Ｓ３５は図２のステップＳ１〜Ｓ５と同様の動作である。制御部１１はステップＳ３４にて従ＵＩＭカードと認識すると、操作入力部１３からの入力を停止した後（キー操作無効）（図５ステップＳ３５）、ＵＩＭカード部１２から主ＵＩＭカードを内蔵する携帯電話機（＃２）２の情報を読取り（図５ステップＳ３６）、主ＵＩＭカードを内蔵する携帯電話機（＃２）２へ電話を掛ける（図５ステップＳ３７，Ｓ３８）。
【００４０】
主ＵＩＭカードを内蔵する携帯電話機（＃２）２が電話に出ない場合（図６ステップＳ３９）、制御部１１は表示部１５へ主ＵＩＭカードを内蔵する携帯電話機（＃２）２からの応答が得られなかった旨メッセージを表示し（図６ステップＳ４０）、このサービスを強制的に終了させ（図６ステップＳ４４）、操作入力部１３の入力受付けを復帰させる（キー操作無効解除）（図６ステップＳ４５）。
【００４１】
逆に、主ＵＩＭカードを内蔵する携帯電話機（＃２）２からの応答があった場合（図６ステップＳ３９）、制御部１１は有料サービス使用許可希望の応答メッセージを主ＵＩＭカードを内蔵する携帯電話機（＃２）２へ流し（図６ステップＳ４１）、主ＵＩＭカードを内蔵する携帯電話機（＃２）２のキー操作から許可・不許可の信号を得る（図６ステップＳ４２）。
【００４２】
主ＵＩＭカードを内蔵する携帯電話機（＃２）２からの応答が許可ならば（図６ステップＳ４２）、制御部１１は操作入力部１３の入力受付けを復帰させ（キー操作無効解除）（図６ステップＳ４６）、確認したサービスの実行を行う（図６ステップＳ４７）。
【００４３】
逆に、主ＵＩＭカードを内蔵する携帯電話機（＃２）２からの応答が不許可ならば（図６ステップＳ４２）、制御部１１は表示部１５へ主ＵＩＭカードを内蔵する携帯電話機（＃２）２から許可が得られなかった旨のメッセージを表示し（図６ステップＳ４３）、このサービスを強制的に終了し（図６ステップＳ４４）、操作入力部１３の入力受付けを復帰させる（キー操作無効解除）（図６ステップＳ４５）。
【００４４】
一方、主ＵＩＭカードを内蔵する携帯電話機（＃２）２は、図７に示すように、従ＵＩＭカードを内蔵する携帯電話機（＃１）１側から着信が入り（図６ステップＳ５１）、有料サービス使用許可希望の応答メッセージを受けた場合（図６ステップＳ５２）、その応答メッセージが流れるので、キー操作によって許可・不許可の信号を送信する（図６ステップＳ５３）。
【００４５】
【発明の効果】
以上説明したように本発明は、加入者情報を記憶する記録媒体を内蔵可能な携帯電話端末において、記録媒体に記憶された情報が主・従の関係を示す情報のいずれかであるかの判定結果を基に通話料以外の料金支払いが発生するサービスの実行を制限することによって、端末の利用者と支払者とが同一人物でない場合に、携帯電話料金の支払者が意図しない有料サービスの利用を制御・禁止することができるという効果が得られる。
【図面の簡単な説明】
【図１】本発明の一実施例による携帯電話機の構成を示すブロック図である。
【図２】本発明の一実施例による携帯電話機の動作を示すフローチャートである。
【図３】本発明の一実施例による携帯電話機の動作を示すフローチャートである。
【図４】本発明の他の実施例による携帯電話機の構成を示すブロック図である。
【図５】本発明の別の実施例による携帯電話機の動作を示すフローチャートである。
【図６】本発明の別の実施例による携帯電話機の動作を示すフローチャートである。
【図７】本発明の別の実施例による携帯電話機の動作を示すフローチャートである。
【符号の説明】
１  携帯電話機（＃１）
２  携帯電話機（＃２）
３  携帯電話機（＃３）
１１  制御部
１２  ＵＩＭカード部
１３  操作入力部
１４  無線通信部
１５  表示部
１６  記録媒体
３１  メモリ
【図１】
2004172923.tif 000003
【図２】
2004172923.tif 000004
【図３】
2004172923.tif 000005
【図４】
2004172923.tif 000006
【図５】
2004172923.tif 000007
【図６】
2004172923.tif 000008
【図７】
2004172923.tif 000009